(57)【要約】【課題】  複数回のアクイジションによる測定データが書き込まれたアクイジションメモリから、アクイジション停止後に測定データを順次連続的に読み出すことができる波形測定装置を実現する。【解決手段】  測定データをトリガ信号に基づいてアクイジションメモリに書き込む波形測定装置において、  前記アクイジションメモリに書き込まれた測定データを連続的に読み出す擬似トリガ信号発生手段を備える。【選択図】                    図１
2005300496.tif 000002
【特許請求の範囲】
【請求項１】
測定データをトリガ信号に基づいてアクイジションメモリに書き込む波形測定装置において、
前記アクイジションメモリに書き込まれた測定データを連続的に読み出す擬似トリガ信号発生手段を備えたことを特徴とする波形測定装置。
【請求項２】
前記トリガ信号及び前記擬似トリガ信号を切り換える切り換え手段を備えたことを特徴とする請求項１に記載の波形測定装置。
【請求項３】
前記擬似のトリガ信号に基づく前記アクイジションメモリからの読み出し期間中に前記アクイジションメモリへの上書きを防止する書き込み禁止手段を設けたことを特徴とする請求項１又は２記載の波形測定装置。
【請求項４】
前記アクイジションメモリは、上位ビットカウンタ及び下位ビットカウンタを介してアドレス管理行され、前記トリガ信号又は前記擬似トリガ信号を入力する毎に、前記上位ビットカウンタの設定値を初期値からインクリメントすると共に、前記下位ビットカウンタにクロック信号を供給することを特徴とする請求項１乃至３のいずれかに記載の波形測定装置。
【請求項５】
前記擬似トリガ信号は、プロセッサにより生成されることを特徴とする請求項１乃至４のいずれかに記載の波形測定装置。
【発明の詳細な説明】
【技術分野】
【０００１】
本発明は、測定データをトリガ信号に基づいて波形データ収集用メモリ（以下アクイジションメモリ）に書き込む波形測定装置に関する。本発明では、アクイジションメモリを分割することで複数回のアクイジション結果を書き込むことができるディジタルオシロスコープ等の波形測定器において、アクイジションを停止した後複数回のアクイジションメモリの測定データを順次参照する手段を提供する。
【背景技術】
【０００２】
測定データをトリガ信号に基づいてアクイジションメモリに書き込む波形測定装置に関連する先行技術文献としては、次のようなものがある。
【０００３】
【特許文献１】特開平５−１１９０６９号公報
【０００４】
図２は、従来の波形測定装置の一般的な構成を示す機能ブロック図である。１は、装置全体を制御するプロセッサである。２は、アクイジションメモリからの読み出された測定データをもとに表示データを生成及び表示する表示手段である。
【０００５】
３はトリガ信号発生手段であり、装置に入力されたアナログの入力信号Ｅｉと予め設定された条件とでトリガ信号を発生させる。４はＡＤ変換手段であり、装置に入力されたアナログの入力信号Ｅｉを適当なレベルに調整し、サンプリングし、デジタイズしてアクイジションメモリに書き込む測定データを生成する。
【０００６】
５はアクイジション制御手段であり、プロセッサ１よりのコントロール信号で制御される。６はアドレスが（ｎ１＋ｎ２）ビット，データ幅ｎ３ビットのアクイジションメモリであり、トリガ信号に基づいて測定データが書き込まれ又は読み出される。
【０００７】
アクイジション制御手段５は、プロセッサ１よりのコントロール信号により、ＡＤ変換手段４からの測定データのアクイジションメモリ６への書き込みと、読み出した測定データを表示手段２に渡す処理を実行する。
【０００８】
アクイジションメモリ６への書き込みと読み出しのためのアドレス管理は、アクイジション制御手段５により制御される上位ビットカウンタ７及び下位ビットカウンタ８により実行される。
【０００９】
上位ビットカウンタ７は、アクイジションメモリ６のアドレス上位ｎ１ビットを指定するカウンタであり、プロセッサ１からアクイジション制御手段５を介して初期値が設定され、トリガ信号発生毎にインクリメントして＋１づつ増加する。
【００１０】
下位ビットカウンタ８は、アクイジションメモリ６のアドレス下位ｎ２ビットを指定するカウンタであり、プロセッサ１からアクイジション制御手段５を介してクロック信号が与えられ、指定アドレスがシフトされる。
【００１１】
測定データを収集して書き込む場合は、プロセッサ１より予めアクイジション制御手段５を介して上位ビットカウンタ７に初期値を設定しておき、トリガ信号の入力により収集を開始する。開始後はアクイジション制御手段５から下位ビットカウンタ８に対してクロックが供給され、下位ビットカウンタ８はアクイジションメモリ６に対して測定データを格納するアドレスを順次発生する。
【００１２】
トリガ信号発生手段３が次のトリガ信号を出力するまでは、上位ビットカウンタ７の出力は一定であり、そのため測定データはアクイジションメモリ６のアドレス上位ｎ１ビットがカウンタ上位ビットカウンタ７の出力で決まる範囲に格納される。
【００１３】
トリガ信号発生手段３が次のトリガ信号を出力すると、アクイジション制御手段５は上位ビットカウンタ７の設定値を＋１増加させるので、アクイジションメモリ６に書き込む格納範囲が別のエリアにシフトする。
【００１４】
ここで、（ｎ１＋ｎ２）＝１０、ｎ１＝３、ｎ２＝７でアクイジションメモリ６のアドレス管理を実行するものとすれば、アドレスの総数は１０２４アドレスとなり、上位３ビットの制御により、各１２８アドレスを有する８グループのエリアに分割して管理することができる。
【００１５】
測定データを読み出して表示する場合は、プロセッサ１よりアクイジション制御手段５を介して上位ビットカウンタ７に読み出すエリアに相当するアドレス上位ｎ１ビットを設定し、更にアクイジション制御手段５を介してｎ２ビットのクロック信号を下位ビットカウンタ８に与えて当該エリアの測定データをアクイジションメモリ６から読み出して表示手段２に渡すことで行われる。
【００１６】
上位ビットカウンタ７に対する設定値がインクリメントされて変更された場合は、表示手段２が表示する測定データは一旦初期化され、新たなデータを表示させるが、表示手段２の設定を変更することで重ね書きを行うこともできる。
【発明の開示】
【発明が解決しようとする課題】
【００１７】
従来の波形表示装置では、アクイジションメモリの複数エリアに書き込まれて保持された複数回の収集測定データをアクイジション停止後に読み出して表示するのには、ユーザが表示するエリアを指定して1回分ずつ読み出して表示するか、それらを全て重ね合わせて同時の表示するかしかできなかった。
【００１８】
そのため、アクイジション毎で高速に変化する波形、たとえばスイッチングレギュレータ回路が起動する時のスイッチング波形の変化等の再生をすることができなかった。
【００１９】
従って本発明が解決しようとする課題は、複数回のアクイジションによる測定データが書き込まれたアクイジションメモリから、アクイジション停止後に測定データを順次連続的に読み出すことができる波形測定装置を実現する。
【課題を解決するための手段】
【００２０】
このような課題を達成するために、本発明の構成は次の通りである。
（１）測定データをトリガ信号に基づいてアクイジションメモリに書き込む波形測定装置において、
前記アクイジションメモリに書き込まれた測定データを連続的に読み出す擬似トリガ信号発生手段を備えたことを特徴とする波形測定装置。
【００２１】
（２）前記トリガ信号及び前記擬似トリガ信号を切り換える切り換え手段を備えたことを特徴とする（１）に記載の波形測定装置。
【００２２】
（３）前記擬似のトリガ信号に基づく前記アクイジションメモリからの読み出し期間中に前記アクイジションメモリへの上書きを防止する書き込み禁止手段を設けたことを特徴とする（１）又は（２）記載の波形測定装置。
【００２３】
（４）前記アクイジションメモリは、上位ビットカウンタ及び下位ビットカウンタを介してアドレス管理行され、前記トリガ信号又は前記擬似トリガ信号を入力する毎に、前記上位ビットカウンタの設定値を初期値からインクリメントすると共に、前記下位ビットカウンタにクロック信号を供給することを特徴とする（１）乃至（３）のいずれかに記載の波形測定装置。
【００２４】
（５）前記擬似トリガ信号は、プロセッサにより生成されることを特徴とする（１）乃至（４）のいずれかに記載の波形測定装置。
【発明の効果】
【００２５】
以上説明したことから明らかなように、本発明によれば次のような効果がある。
（１）アクイジション毎に変化する波形、たとえばスイッチングレギュレータの起動時のスイッチング波形を観測する場合、従来ではアクイジション後は１アクイジションずつ手動で表示するか重ねがきでしか表示できなかったが、本発明によればアクイジション後に自動的に連続して再生できるので、より効果的な波形観測が可能になる。
【発明を実施するための最良の形態】
【００２６】
以下本発明を、図面を用いて詳細に説明する。図１は本発明を適用した波形測定装置の一実施形態を示す機能ブロック図である。図２で説明した従来装置と同一要素には同一符号を付し、説明を省略する。以下、本発明の特徴部につき説明する。
【００２７】
図１において、１００は本発明が適用されたアクイジション制御手段である。このアクイジション制御手段は、従来のアクイジション制御手段５と同じ機能に加えて、書き込み禁止手段１０１を有する点を特徴とする。
【００２８】
この書き込み禁止手段１０１は、後述する擬似トリガ信号を入力してる期間中にアクイジションメモリ６に対する書き込み制御信号をマスクすることで、アクイジションされた測定データが上書きされることを防ぐ。
【００２９】
２００は、擬似トリガ発生手段であり、プロセッサ１よりの設定に基づいて一定周期の擬似トリガ信号を生成する。３００は切り換え手段であり、必要に応じてマニュアル操作でトリガ信号発生手段３の出力又は擬似トリガ発生手段の出力をアクイジション制御手段１００に選択的につなぎ換える。
【００３０】
測定データをアクイジションメモリに書き込むアクイジションモードでは、切り換え手段３００は従来装置と同様にトリガ信号発生手段３の出力をアクイジション制御手段１００に接続し従来装置と同様の動作となる。アクイジション停止中で、切り換え手段３００がトリガ信号発生手段３の出力をアクイジション制御手段１００に接続している場合も従来装置と同じ動作となる。
【００３１】
切り換え手段３００が擬似トリガ信号発生手段２００の出力をアクイジション制御手段１００に接続している場合にアクイジション動作を行うと、前述したようにアクイジション制御手段１００からは書込み禁止手段１０１の機能によりアクイジションメモリ６に対して書き込み制御信号が出力されないことから、アクイジションされた測定データは上書きされずに保存される。
【００３２】
従って、アクイジションメモリ６内の各エリアに保持されている測定データが見かけ上アクイジションされたデータとして擬似トリガ信号に同期して順次連続的に読み出されるので、アクイジション毎に異なる測定データの波形を連続的に再生することができる。
【００３３】
以上説明した実施形態では、擬似トリガ信号発生手段２００により擬似トリガ信号を生成しているが、これに替わりプロセッサ１により擬似トリガ信号を生成することも可能である。
【図面の簡単な説明】
【００３４】
【図１】本発明を適用した波形測定装置の一実施形態を示す機能ブロック図である。
【図２】従来の波形測定装置の一般的な構成を示す機能ブロック図である。
【符号の説明】
【００３５】
１  プロセッサ
２  表示手段
３  トリガ信号発生手段
４  ＡＤ変換手段
６  アクイジションメモリ
７  上位ビットカウンタ
８  下位ビットカウンタ
１００  アクイジション制御手段
１０１  書き込み禁止手段
２００  擬似トリガ信号発生手段
３００  切り換え手段
【図１】
2005300496.tif 000003
【図２】
2005300496.tif 000004